(57)【特許請求の範囲】
【請求項１】
樹木や草花などの植物群が生育する移植対象地の地表面に細紐を縦横に直線状に張設して平面形状が四辺形をした複数の領域に区画し前記領域の位置関係を認識するための識別手段を各領域に付する工程と、前記各領域の左右に位置する細紐に沿って溝を形成するとともに前記各領域の前後に位置する細紐に沿って根切りチェーンソーを入れて地盤をカットする工程と、植物群を生育状態のまま土壌と共に収容可能なバケットを有する樹木移植機を用いて前記植物群を前記領域ごとに土壌と共に掘り取る工程と、前記領域ごとに掘り取られた土壌付きの植物群を移植予定地へ移送する工程と、前記土壌付きの植物群を前記識別手段に基づいて前記移植予定地に元通り配置、定植する工程とを含むことを特徴とする植物群移植工法。
【請求項２】
前記領域として、面積が一定の基本ユニット領域と、前記基本ユニット領域より面積の小さな端数ユニット領域とを設けた請求項１記載の植物群移植工法。
【請求項３】
前記基本ユニット領域の平面形状が、１辺の長さが１〜１．５ｍの正方形である請求項２記載の植物群移植工法。
【発明の詳細な説明】
【０００１】
【発明の属する技術分野】
本発明は、林業、土木建設業、造園業などにおいて、自然林、植物群生地、庭園などの植物群を生態学的な復元を伴うかたちで他の土地へ移植する工法に関する。
【０００２】
【従来の技術】
自然林、植物群生地、庭園などの植物群を他の土地へ移植する場合、対象となる樹木などを１本ずつ根鉢を丸く掘り取り、根の周囲を土壌と共に菰や藁などで包んで保護する根巻きを行って、移植予定地まで運搬した後、この根巻状態のまま土中に植え込むという工法が採用されている。
【０００３】
この場合、移植対象である自然林などを詳細に測量してその状態を正確に図面化した後、樹木や草本類を１本１本掘り取って移植予定地まで運搬した後、前記図面に従って元通り１本１本植え込んでいくという作業が行われている。
【０００４】
【発明が解決しようとする課題】
従来の移植工法では、移植対象である自然林などを詳細に測量して正確な図面を作成する必要があり、図面作成後、樹木などを１本ずつ掘り取って移植予定地まで運搬して、図面に従って再び１本ずつ植え込まなければならないので、これらの作業に多大な労力と時間が費やされている。また、自然林などの元の状態を記載した図面があっても、掘り取った樹木などを１本ずつ移植予定地に植え込んで元通りの状態に復元する作業は極めて困難であり、如何に慎重を期して作業をしても樹木周囲の土壌の状態が元通りではないため、移植後の樹木の活着が良くない。さらに、１本ずつ掘り取った樹木の根鉢は丸いので、樹木同士を隣接させて植え込んでも空隙が生じてしまい、この空隙を埋めるために、土砂などの大量の資材と、多大な労力および時間が費やされるだけでなく、定植後の活着を悪くする要因となっている。
【０００５】
また、従来の移植工法では、大きな樹木から小さな樹木へという順番で掘り取り作業が行われているが、１本の樹木を掘り取る際に、その周辺の土壌は踏み荒らされたり、堀り荒らされたりした状態となるため、周囲で生育している小さな樹木や草花などは回復不可能な損傷を受けたり枯れたりすることが多い。このため、実際に移植される樹木や草花などは大幅に減少し、移植後の樹林に残存するのは高木と僅かな低木だけという、元の状態とは全くかけ離れた状態となっているのが実状である。
【０００６】
さらに、従来の移植工法の場合、樹木の周囲の表土に繁茂している下草、コケ類あるいはシダ類などは除去してしまうので殆ど壊滅状態となり、土壌中に棲息する生物なども逃散したり、死滅することが多いので、移植後の生態系バランスが崩れ、その後の樹林全体の生育に悪影響が生じることがある。
【０００７】
本発明が解決しようとする課題は、施工が容易で、移植作業を効率的に行うことができ、植物群の損傷が極めて少なく、移植後の樹木などの活着も良好な、植物群移植工法を提供することにある。
【０００８】
【課題を解決するための手段】
前記課題を解決するため、本発明の植物群移植工法は、樹木や草花などの植物群が生育する移植対象地の地表面に細紐を縦横に直線状に張設して平面形状が四辺形をした複数の領域に区画し前記領域の位置関係を認識するための識別手段を各領域に付する工程と、前記各領域の左右に位置する細紐に沿って溝を形成するとともに前記各領域の前後に位置する細紐に沿って根切りチェーンソーを入れて地盤をカットする工程と、植物群を生育状態のまま土壌と共に収容可能なバケットを有する樹木移植機を用いて前記植物群を前記領域ごとに土壌と共に掘り取る工程と、前記領域ごとに掘り取られた土壌付きの植物群を移植予定地へ移送する工程と、前記土壌付きの植物群を前記識別手段に基づいて前記移植予定地に元通り配置、定植する工程とを含むことを特徴とする。
【０００９】
このような構成とすることにより、生育している植物群は区画された各領域を一つ単位として、その土壌と共に自然の状態を保ったまま掘り取られ、元通りの配置で移植予定地に定植されるので、植物群の損傷が極めて少なく、移植後の樹木などの活着も良好である。また、掘り取り、移送および定植などの各作業は、樹木１本ずつではなく、所定面積の領域単位で行うので、移植作業は効率的であり、識別手段に基いて配置、定植するので施工も容易である。
【００１０】
このような植物群移植工法において、前記領域の平面形状を四辺形とすることにより、複数の直線を縦横に配列することで植物群を複数の領域に区画することが可能となるため、区画作業を効率化できるだけでなく、各領域の掘り取りや運搬などの作業性も向上する。また、掘り取った植物群を移植予定地に定植する場合も、隣接する領域同士が隙間なく密着するので、隙間を土砂などで充填する必要がなくなり、定植作業が簡略化され、定植後の活着も良好となる。
【００１１】
また、前記領域として、面積が一定の基本ユニット領域と、この基本ユニット領域より面積の小さな端数ユニット領域とを設けることにより、植物群における樹木などの分布状態や地盤の構造などに応じ、区画しやすい部分や掘り取りしやすい部分に境界を設けて、各領域を設定することができるようになるため、掘り取り作業は勿論、これ以降の作業を効率化することができる。
【００１２】
さらに、前記基本ユニット領域の平面形状を、１辺の長さが１〜１．５ｍの正方形とすることにより、樹木移植機などを用いた掘り取り作業、掘り取った土壌付き樹木の運搬、定植作業に適したサイズとなるので、作業性が向上し、工期短縮を図ることができる。
【００１３】
一方、前記植物群を表土と共に掘り取る工程において、基本ユニット領域の植物群を生育状態のまま土壌と共に収容可能なバケットを有する樹木移植機を用いることにより、基本ユニット領域および端数ユニット領域の掘り取り作業をそれぞれ一括して行うことが可能となるため、作業効率が高まるとともに、掘り取り作業などに伴う、各領域の植物群の損傷を防止することができる。
【００１４】
【発明の実施の形態】
図１は本発明の実施形態における植物群生育地を複数の領域に区画した状態を示す平面図であり、図２は図１の植物群生育地における掘り取り作業を示す平面図である。
【００１５】
本実施形態においては、まず図１に示すように、樹木や草花などの植物群が生育する移植対象地１の地表面に、細紐４を縦横に直線状に張設して、１．５ｍ×１．５ｍの基本ユニット領域２と、これより面積の小さな端数ユニット領域３に区画し、これらの領域にそれぞれ識別手段として、通し番号▲１▼，▲２▼，▲３▼，▲４▼，▲５▼・・・・・を付すとともに、これらの区画状況を示す領域配置図を作成して、移植対象地１の移植前状態を記録する。この場合、１．５ｍ×１．５ｍの原寸大の定規を作成して、移植対象地１に生育している樹木などが各領域内に収まるように細紐４を張設するが、樹木の分布状態や地盤の状況に応じて端数ユニット領域３を設定する。
【００１６】
細紐４の張設および図面作成が終わったら、後述する樹木移植機１０の土中挿入を容易にするため、各領域の左右に位置する細紐４に沿って幅１０ｃｍ程度の溝を形成するとともに、各領域の前後に位置する細紐４に沿って根切りチェーンソーを入れて地盤をカットしておく。
【００１７】
次に図２に示すように、基本ユニット領域２、端数ユニット領域３に生育している植物群を土壌と共に掘り取っていく。この場合、後述する樹木移植機１０を用いて、基本ユニット領域２、端数ユニット領域３を一つの単位として、各領域ごとに一括して掘り取っていく。
【００１８】
樹木移植機１０は、本出願人の出願になる特許第３００５５３２号公報に記載の樹木移植機と同様のものであり、図３、図４に示すように重機Ｈの作業アームＡに装着して使用する。樹木移植機１０は、図５、図６に示すように、左側面板１１、右側面板１２および背面板１３などで構成され、底面部１４が開放されたバケット１５と、バケット１５の背面側からバケット１５内の底面部１４へスライド状に出し入れ可能な複数の爪材１６，２６を有するフォーク１７と、爪材１６に形成された肉厚の補強部１６ａと、バケット１５の左右両側面部分に配置されフォーク１７を直接駆動してスライドさせる油圧シリンダ１８と、ピン１９を介して作業アームＡに装着するためバケット１５の後部上面に設けられた連結板２０およびピン孔２４などを備えている。また、バケット１５の左右側面部分には支柱２５が立設され、これらの支柱２５で支持された倒木防止部材２７，２９が、バケット１５の左右側面部分と背面部分に略水平に配置されている。
【００１９】
図５（ａ）は樹木移植機１０を構成するバケット１５の平面図、同図（ｂ）は前記バケット１５の左側面図であるが、これらの図に示すように、バケット１５は、左側面板１１、右側面板１２および背面板１３などで形成され、前面部分および底面部１４が開放されている。フォーク１７は、バケット１５の左右両側面に配置された油圧シリンダ１８の伸縮動作によって、背面板１３の下縁部分から底面部１４にスライド状に出し入れされる。
【００２０】
また、バケット１５は、その平面投影面積が、基本ユニット領域２の面積よりやや大きくなるように製作されているため、基本ユニット領域２、端数ユニット領域３の植物群を土壌とともに一括して収容することができる。
【００２１】
また、フォーク１７は、一定間隔に配置された複数の爪材１６，２６と、左右に配置された爪材２６の側面部分にそれぞれ取り付けられた側面補強板２１と、爪材１６，２６の後部に配置された背面補強板２２などで形成されている。
【００２２】
フォーク１７の左右両端に配置された爪材２６は全体が板状で、先端部分は楔形に尖った形状であり、爪材２６を除く４本の爪材１６の中央部分には、その長手方向に沿って肉厚の補強部１６ａが設けられ、爪材１６の先端部分は楔形に尖った形状である。補強部１６ａは、爪材１６の先端よりやや後方から三角形状に突出し、そのまま後方へ山脈状に連続して形成されている。
【００２３】
ここで、図７は本実施形態の移植作業で使用するユニット枠および側面閉塞板を示す斜視図であるが、このユニット枠３０は、図８に示すように、樹木移植機１０のバケット１５内に装着し、移植対象である植物群を土壌と一体化させて掘り取り、移植予定地に植え付ける際に使用するものであり、板材３０ａ，３０ｂおよび補強材３２を組み合わせ、バケット１５内面に沿って配置できるようにコ字状に形成されている。また、ユニット枠３０の開放側面部分を着脱可能に閉塞するための側面閉塞板３１が用意されている。側面閉塞板３１は掛け金３１ａを、ユニット枠３０のフック３０ｃに系脱させることによって着脱を行う。ユニット枠３０を使用する場合、図８に示すように、その開放側面部分を前方に向けてバケット１５内に配置する。
【００２４】
一方、パレット３５は、図８に示すように、板材３６および補強材３７を組み合わせて簀の子板状に形成され、その上にユニット枠３０が載置できるように、ユニット枠３０の外形とほぼ同形かつ同寸法に形成されている。後述する図９に示すように、移植対象である植物群５０の土壌と一体化させたユニット枠３０をパレット３５上に載置して、ユニット枠３０の開放側面部分を側面閉塞板３１で閉塞すれば、根や土壌などの周囲が梱包された状態となるため、遠距離の運搬、移設を行う際の土壌部分の崩壊を防止することができる。
【００２５】
次に図３、図４および図９〜図１１を参照して、樹木移植機１０を用いた植物群移植作業について説明する。図３は植物群を掘り取る前の状態を示す側面図、図４は掘り取り開始の状態を示す側面図、図９は植物群樹木の梱包状態を示す側面図、図１０は植物群の植付け状態を示す側面図、図１１は移植予定地に植物群を定植する状態を示す平面図である。
【００２６】
図３に示すように、掘り取り作業開始前に、植物群５０の前面を３０〜４０ｃｍ掘り下げて段差部５１を形成する。樹木移植機１０は予め重機Ｈに装着しておき、前述した図８に示すように、フォーク１７を前方にスライドさせ、バケット１５の底面部１４に位置させ、バケット１５内に予めユニット枠３０を装着しておく。
【００２７】
図３に示すように、掘り取り開始時には、重機Ｈの作業アームＡの押圧力により樹木移植機１０を植物群５０の手前の段差部５１から基本ユニット領域２の土壌に挿入する。そして図４に示すように、作業アームＡを作動させ、対象樹木５０と共に樹木移植機１０を持ち上げ、周囲の土壌から切り離して掘り取る。このとき、植物群５０の根部および土壌はユニット枠３０と一体化することで崩壊が防止され、植物群５０に含まれる樹木５０ａは倒木防止部材２７，２９によって倒壊が防止される。なお、端数ユニット領域３の植物群を掘り取る際には、その面積に応じた大きさの仕切り材をユニット枠３０の内部に配置することにより、前記と同様の手順で作業行うことができる。
【００２８】
このようにして掘り取られた土壌付きの植物群５０は、図９に示すように、パレット３５上に載置した後、ユニット枠３０の開放側面部分を側面閉塞板３１で閉塞することによって梱包状態とし、運搬用車両などに積載して、移植予定地まで運搬する。
【００２９】
基本ユニット領域２、端数ユニット領域３をそれぞれ１つの単位として掘り取った土壌付きの植物群５０が移植予定地５に到着したら、図１０に示すように、フォークリフトＦのフォーク３８をパレット３５の下面に差し込んで上昇させることによって植物群５０をフォーク３８で持ち上げ、図１１に示すように、掘り取り前に作成した領域配置図に従って所定の植付け場所まで運び込む。そして、フォーク３８を下降させて植物群５０を移植予定地５上に載置した後、フォークリフトＦを後退させることによって、植物群５０、ユニット枠３０およびパレット３５からフォーク３８を離脱させる。
【００３０】
この後、植物群５０からユニット枠３０を取り外して、根部を土砂などで埋設すれば、植付けが完了する。なお、ユニット枠３０を、木材などの土中分解可能な素材で形成しておけば、ユニット枠３０を取り外すことなく植え付けることもできる。
【００３１】
このように本実施形態においては、移植対象地１に生育している植物群５０は、区画された基本ユニット領域２、端数ユニット領域３をそれぞれ一つ単位として、その土壌と共に自然の状態を保ったまま掘り取られ、元通りの配置で移植予定地５に定植されるので、植物群５０に含まれる樹木５０ａや草花などの損傷が極めて少なく、土壌表面付近で生育するコケ類、シダ類などや土壌中に棲息する生物などもそのまま移植されることで生態系バランスが維持されるため、移植後の樹木５０ａなどの活着も良好である。
【００３２】
また、掘り取り、移送および定植などの各作業は、樹木５０ａなどを１本ずつ行うのではなく、１．５ｍ×１．５ｍの広さの基本ユニット領域２や、これより狭い端数ユニット領域３をそれぞれ１つの単位として行うので、移植作業は効率的であり、識別手段である通し番号▲１▼，▲２▼，▲３▼・・・・・に基いて移植予定地５に配置、定植するので施工も容易である。
【００３３】
基本ユニット領域２、端数ユニット領域３の平面形状はいずれも四辺形であるため、複数の細紐４を縦横に直線状に張設することで植物群５０を複数の基本ユニット領域２、端数ユニット領域３に区画することができ、区画作業は効率的であり、各領域の掘り取りや運搬などの作業性も良好である。また、掘り取った植物群５０を移植予定地５に定植する場合、隣接する基本ユニット領域２、端数ユニット領域３は、互いに隙間なく密着するので、隙間を土砂などで充填する必要がなくなり、定植作業が簡略化され、定植後の活着も良好である。
【００３４】
また、面積が一定の基本ユニット領域２と、これより面積の小さな端数ユニット領域３とを設けることにより、植物群５０における樹木５０ａなどの分布状態や地盤の構造などに応じ、区画しやすい部分や掘り取りしやすい部分に、境界を示す細紐４を張設して、各領域を設定することができるため、掘り取り作業は勿論、これ以降の作業を効率的に実施することができる。
【００３５】
さらに、基本ユニット領域２の平面形状を、１辺の長さが１．５ｍの正方形としているため、樹木移植機１０を用いた掘り取り作業、掘り取った土壌付き植物群５０の運搬、定植などの作業性に優れており、工期短縮を図ることができる。
【００３６】
一方、植物群５０を土壌と共に掘り取る工程において、基本ユニット領域２の植物群５０を生育状態のまま土壌と共に収容可能なバケット１５を有する樹木移植機１０を用いることにより、基本ユニット領域２および端数ユニット領域３ごとの掘り取り作業をそれぞれ一括して行うことができるため、作業効率が高く、掘り取り作業などに伴う、各領域の植物群５０の損傷も極めて少ない。
【００３７】
【発明の効果】
本発明により、以下に示す効果を奏する。
【００３８】
（１）植物群が生育する土地を複数の領域に区画し、これらの位置関係を認識するための識別手段を各領域に付し、植物群を領域ごとに土壌と共に掘り土壌付きの植物群を移植予定地へ移送し、識別手段に基いて移植予定地に元通り配置、定植することにより、植物群の移植作業を容易かつ効率的に行うことが可能となり、作業に伴う植物群の損傷が極めて少なく、移植後の樹木などの活着も良好となる。
【００３９】
（２）前記領域の平面形状を四辺形とすることにより、複数の直線を縦横に配列することで植物群を複数の領域に区画することが可能となるため、区画作業を効率化でき、各領域の掘り取りや運搬などの作業性も向上する。また、掘り取った植物群を定植する際、隣接する領域同士が隙間なく密着するので、隙間を土砂で充填する必要がなく、定植作業が簡略化され、定植後の活着も良好となる。
【００４０】
（３）前記領域として、面積が一定の基本ユニット領域と、この基本ユニット領域より面積の小さな端数ユニット領域とを設けることにより、樹木などの分布状態や地盤構造などに応じ、区画しやすい部分や掘り取りしやすい部分に境界を設けて、各領域を設定できるようになるため、掘り取り作業およびこれ以降の作業を効率化することができる。
【００４１】
（４）基本ユニット領域の平面形状を、１辺の長さが１〜１．５ｍの正方形とすることにより、樹木移植機などを用いた掘り取り作業、掘り取った土壌付き樹木の運搬、定植作業に適したサイズとなるので、作業性が向上し、工期短縮を図ることができる。
【００４２】
（５）基本ユニット領域の植物群を生育状態のまま土壌と共に収容可能なバケットを有する樹木移植機を用いることにより、基本ユニット領域および端数ユニット領域の掘り取り作業をそれぞれ一括して行うことが可能となるため、作業効率が高まるとともに、掘り取り作業などに伴う、各領域の植物群の損傷を防止することができる。
【図面の簡単な説明】
【図１】移植対象である植物群生育地を複数の領域に区画した状態を示す平面図である。
【図２】図１の植物群生地における掘り取り作業を示す平面図である。
【図３】図１の植物群生地における掘り取り作業を示す側面図である。
【図４】図１の植物群生地における掘り取り作業を示す側面図である。
【図５】（ａ）は図３に示す樹木移植機ののフォークを前方へスライドさせた状態の平面図であり、（ｂ）は前記樹木移植機の左側面図である。
【図６】（ａ）は図３に示す樹木移植機ののフォークを後方へスライドさせた状態の平面図であり、（ｂ）は前記樹木移植機の左側面図である。
【図７】ユニット枠および側面閉塞板を示す斜視図である。
【図８】ユニット枠を樹木移植機のバケット内に装着した状態を示す斜視図である。
【図９】掘り取った植物群の梱包状態を示す側面図である。
【図１０】移植予定地における定植作業を示す側面図である。
【図１１】移植予定地に植物群を定植する状態を示す平面図である。
【符号の説明】
１  移植対象地
２  基本ユニット領域
３  端数ユニット領域
４  細紐
５  移植予定地
１０  樹木移植機
１１  左側面板
１２  右側面板
１３  背面板
１４  底面部
１５  バケット
１６，２６  爪材
１６ａ  補強部
１７，３８  フォーク
１８  油圧シリンダ
１９  ピン
２０  連結板
２１  側面補強板
２２  背面補強板
２４  ピン孔
２５  支柱
２７，２９  倒木防止部材
３０  ユニット枠
３０ａ，３０ｂ  板材
３１  側面閉塞板
３１ａ  掛け金
３２  補強材
３０ｃ  フック
３５  パレット
３６  板材
３７  補強材
５０  植物群
５０ａ  樹木
Ｈ  重機
Ａ  アーム
Ｆ  フォークリフト
【図１】
0003623158.tif 000002
【図２】
0003623158.tif 000003
【図３】
0003623158.tif 000004
【図４】
0003623158.tif 000005
【図５】
0003623158.tif 000006
【図６】
0003623158.tif 000007
【図７】
0003623158.tif 000008
【図８】
0003623158.tif 000009
【図９】
0003623158.tif 000010
【図１０】
0003623158.tif 000011
【図１１】
0003623158.tif 000012